(57)【要約】      （修正有）【課題】簡素な構造によって台座に対する支持部の回転を可能とし、前記支持部の回転動作による配線部材の断線を確実に防止できるスタンド型照明装置を提供する。【解決手段】台座と支持部２００の間に保持部３００を介在し、該保持部３００は小径中空円柱部と大径中空円柱部を一体に設け、台座の底面側より貫通孔４０６を介して支持部２００に小径中空円柱部を挿入して固定する。台座の貫通孔４０６周縁には第１の回転規制リブおよび第２の回転規制リブを設け、保持部３００の大径中空円柱部には第１の回転規制リブまたは第２の回転規制リブに当接する突出片と、台座の内面側で当接する当接部と、台座の内面と前記大径中空円柱部の間で配線部材の断線を防止するための空間を成す段差部を形成した。【選択図】図３
0003167153.tif 000002
【実用新案登録請求の範囲】
【請求項１】
台座と、前記台座に立設する支持部と、前記支持部に連結する照射部本体と、を備えたスタンド型照明装置であって、前記台座と前記支持部の間には前記支持部を回転可能に保持するための保持部を介在し、前記保持部は小径中空円柱部と大径中空円柱部を一体に設けた形状を成し、前記台座には前記保持部の小径中空円柱部が挿通可能な貫通孔を形成し、前記台座の底面側より前記貫通孔を介して前記支持部に前記保持部の小径中空円柱部を挿入して固定手段により前記小径中空円柱部と前記支持部を固定し、また、前記照射部本体には光源を配設した第１の回路基板を内蔵し、前記台座には前記照射部本体の点灯または消灯を行うスイッチを配設した第２の回路基板を内蔵し、前記第１の回路基板と前記第２の回路基板を接続する配線部材を前記保持部と前記支持部を挿通して備え、前記台座の貫通孔周縁には前記保持部の回転範囲を規制するための回転規制リブを設け、前記保持部の大径中空円柱部には前記回転規制リブに当接する突出片と、前記台座の内面側で当接する当接部と、前記台座の内面と前記大径中空円柱部の間で前記配線部材の挟み込みによる断線を防止するための空間を成す段差部を形成したことを特徴とする回転可能な支持部を備えたスタンド型照明装置。
【請求項２】
前記保持部の大径中空円柱部の略半円の領域を当接部とし、残りの領域を段差部とし、突出片を段差部側に形成したことを特徴とする請求項１に記載の回転可能な支持部を備えたスタンド型照明装置。
【考案の詳細な説明】
【技術分野】
【０００１】
本考案は、机上等に載置して使用するスタンド型照明装置に関し、より詳しくは回転可能な支持部を備えたスタンド型照明装置に関する。
【背景技術】
【０００２】
台座と支持部と照明部本体を主要部として構成するスタンド型照明装置は、机上等において所定領域を明るくすることを主たる使用目的としている。
【０００３】
例えば、特許文献１には、照射部本体による照射範囲の選択自由度を広くするために、設置面に対して立設可能な本体と、下側連結部を介して前記本体に連結された支持部と、上側連結部を介して前記支持部に連結された照射部本体とを備え、前記下側連結部が、前記設置面に対して略垂直な下側第１支軸を介して前記本体に連結されているとともに、前記下側第１支軸に対して直交する下側第２支軸を介して前記支持部に連結され、前記上側連結部が、前記下側第２支軸に対して平行な上側第１支軸を介して前記支持部に連結されているとともに、前記上側第１支軸に対して直交する上側第２支軸を介して前記照射部本体に連結された構造が記載されている。
【０００４】
【特許文献１】特開２００９−０８７７６６号公報
【考案の開示】
【考案が解決しようとする課題】
【０００５】
特許文献１の構造によれば、支持部を、下側第１支軸によって本体に対して水平方向に回転可能に支持するとともに、下側第２支軸によって上下方向の回転も可能に支持するので、本体が設置面に対して回転しなくても、照明範囲の選択自由度を広くすることが出来る。特許文献１で示す本体は設置面に直接載置される台座の一部であり、比較的大きくした前記本体によって照射部本体の点灯または消灯を行う操作部や前記照射部本体の明るさを調整する調光部分などを備えることが出来、内部の配線部材の接続についても容易に行うことが可能となる。しかし、換言すれば、台座の一部として本体が必要となり、前記本体がなくなれば操作部や調光部分の設置は勿論、配線部材の接続が煩雑になるものと考えられる。特に、本体と支持部の間で水平方向に回転する構造としているため、前記本体がなくなった場合には、同構造において配線部材が断線する危険性がある。
【０００６】
本考案は上述した点に鑑みてなされたものであって、その目的とするところは、簡素な構造によって台座に対する支持部の回転を可能とし、前記支持部の回転動作による配線部材の断線を確実に防止できるスタンド型照明装置を提供することにある。
【課題を解決するための手段】
【０００７】
請求項１に係るスタンド型照明装置は、台座と、前記台座に立設する支持部と、前記支持部に連結する照射部本体と、を備えたスタンド型照明装置であって、前記台座と前記支持部の間には前記支持部を回転可能に保持するための保持部を介在し、前記保持部は小径中空円柱部と大径中空円柱部を一体に設けた形状を成し、前記台座には前記保持部の小径中空円柱部が挿通可能な貫通孔を形成し、前記台座の底面側より前記貫通孔を介して前記支持部に前記保持部の小径中空円柱部を挿入して固定手段により前記小径中空円柱部と前記支持部を固定し、また、前記照射部本体には光源を配設した第１の回路基板を内蔵し、前記台座には前記照射部本体の点灯または消灯を行うスイッチを配設した第２の回路基板を内蔵し、前記第１の回路基板と前記第２の回路基板を接続する配線部材を前記保持部と前記支持部を挿通して備え、前記台座の貫通孔周縁には前記保持部の回転範囲を規制するための回転規制リブを設け、前記保持部の大径中空円柱部には前記回転規制リブに当接する突出片と、前記台座の内面側で当接する当接部と、前記台座の内面と前記大径中空円柱部の間で前記配線部材の挟み込みによる断線を防止するための空間を成す段差部を形成したことを特徴としている。
【０００８】
請求項２に係るスタンド型照明装置は、請求項１に記載のスタンド型照明装置であって、前記保持部の大径中空円柱部の略半円の領域を当接部とし、残りの領域を段差部とし、突出片を段差部側に形成したことを特徴としている。
【考案の効果】
【０００９】
本考案によれば、小径中空円柱部と大径中空円柱部を一体に設けた保持部を台座と支持部を連結する部材として用いることで、簡素な構造によって台座に対する支持部の回転が可能となる。そして、前記保持部の大径中空円中部には、底面側に当接部と段差部を形成しており、前記段差部によって形成される空間によって、照射部本体内部の光源が配設された第１の回路基板と台座内部のスイッチが配設された第２の回路基板を接続する配線部材の挟み込みによる断線を防止することが出来る。また、台座に設けた回転規制リブと保持部に設けた突出片によって、前記台座に対する前記支持部の回転範囲を規制でき、前記支持部の回転範囲を制限することで、配線部材の捩れや絡まり、或いは挟み込みによる断線をより確実に防止することが出来る。
【図面の簡単な説明】
【００１０】
【図１】本考案の実施例におけるスタンド型照明装置の正面側斜視図。
【図２】本考案の実施例における照射部本体の分解斜視図。
【図３】本考案の実施例における支持部と台座の分解斜視図。
【図４】本考案の実施例における保持部単体の天面側斜視図。
【図５】本考案の実施例における保持部単体の底面側斜視図。
【図６】本考案の実施例におけるスタンド型照明装置の操作部と照射部本体が一致する位置にある状態を示す図であり、図６（ａ）はスタンド型照明装置の底面側概略図、図６（ｂ）は図６（ａ）における保持部の取り付け部分を示す部分拡大図。
【図７】図６の状態から支持部を図示右側に約９０度回転させた状態を示す図であり、図７（ａ）はスタンド型照明装置の底面側概略図、図７（ｂ）は図７（ａ）における保持部の取り付け部分を示す部分拡大図。
【図８】図６の状態から支持部を図示左側に約９０度回転させた状態を示す図であり、図８（ａ）はスタンド型照明装置の底面側概略図、図８（ｂ）は図８（ａ）における保持部の取り付け部分を示す部分拡大図。
【図９】本考案の実施例におけるスタンド型照明装置の操作部と照射部本体が一致する位置にある状態を示す底面側部分拡大概略図。
【図１０】図９の状態から支持部を図示右側に約９０度回転させた状態を示す底面側部分拡大概略図。
【図１１】図９の状態から支持部を図示左側に約９０度回転させた状態を示す底面側部分拡大概略図。
【考案を実施するための形態】
【００１１】
以下、本考案を実施するための最良の形態としての実施例を図１〜図１１を用いて説明する。なお、本考案はその主旨に反しない範囲で、実施例において説明した構成以外のものに対しても容易に適用可能である。
【００１２】
図１は本考案の実施例におけるスタンド型照明装置の正面側斜視図である。同図で示すように、本考案の実施例におけるスタンド型照明装置１は、主に照射部本体１００と支持部２００と台座４００により構成されており、前記台座４００に対して前記支持部２００を回転可能とするために、前記支持部２００と前記台座４００の間には後述する保持部３００を介在している。
【００１３】
図２は本考案の実施例における照射部本体の分解斜視図である。スタンド型照明装置１の照射部本体１００は、その外観を合成樹脂で形成した上部本体カバー１０１と下部本体カバー１０２によって構成されている。そして、前記下部本体カバー１０２には開口部１０３が形成されており、前記開口部１０３より光が照射される構造となっている。前記照射部本体１００についてさらに詳述すると、上部本体カバー１０１と下部本体カバー１０２によって構成される外観の内部には、光源の放熱と前記照射部本体１００の捩れや撓みに対する補強を兼ねた放熱部材１０４と、光源たる複数のＬＥＤ１０５，１０５，・・が配設された第１の回路基板１０６，１０６と、前記ＬＥＤ１０５，１０５，・・から照射される光を端面から受け入れて照射面側を光らせる導光板１０７と、前記導光板１０７を介して照射される前記ＬＥＤ１０５，１０５，・・の光を拡散／集光して一面に対し光をほぼ均一にする光学シート１０８を組み付けている。また、支持部２００に対して前記照射部本体１００を図１で示す矢印Ａの方向に傾動可能とするために、前記照射部本体１００にはヒンジ６０２を取り付けたホルダー６００を組み付けている。
【００１４】
図３は本考案の実施例における支持部と台座の分解斜視図である。台座４００は、その外観を合成樹脂で形成した上部台座カバー４０１と下部台座カバー４０２によって構成されている。そして、前記上部台座カバー４０１には、照射部本体１００の内部に配設されたＬＥＤ１０５，１０５，・・の点灯または消灯を行う操作部４０３を備えている。具体的には、台座４００の内部に組み付けられる第２の回路基板４０４に配設されたスイッチ４０５を前記操作部４０３の押圧操作に連動してＯＮ／ＯＦＦする構造とし、前記スイッチ４０５がＯＮの状態となるならば、照射部本体１００に内蔵された前記ＬＥＤ１０５，１０５，・・は点灯して下部本体カバー１０２の開口部１０３から光が照射され、前記スイッチ４０５がＯＦＦの状態となるならば、前記ＬＥＤ１０５，１０５，・・は消灯して前記開口部１０３から照射されていた光は消える。また、前記上部台座カバー４０１には保持部３００を介して支持部２００を連結するための貫通孔４０６が形成されている。
【００１５】
さらに、前記上部台座カバー４０１と下部台座カバー４０２で構成される外観の内部には、机上等の載置面に載置されたスタンド型照明装置１の転倒を防止してバランスを保つための第１の重り４０９，４０９，・・と第２の重り４１０を組み付けている。なお、本実施例では、第２の回路基板４０４を避けるように第１の重り４０９，４０９，・・と第２の重り４１０を配置しているが、例えば、第１の重り４０９，４０９を重ねる代わりに同様の重量となる単一の重りを配置しても良く、また、第１の重り４０９，４０９，・・と第２の重り４１０を一体に形成しても良い。そして、前記第２の回路基板４０４と前記第１の重り４０９，４０９，・・および第２の重り４１０の間には絶縁を目的としたシールド部材４１２が配置されている。一方、前記台座４００に対して回転可能に連結する支持部２００は、内部に中空部分２０１を有する略筒状を成している。なお、本実施例で示すスタンド型照明装置には、台座４００において別途外部電源を供給するための基板を配置しているが、本実施例の構造を説明するさいに直接関係しないことから同図では割愛している。
【００１６】
図４は本考案の実施例における保持部単体の天面側斜視図、図５は同底面側斜視図である。支持部２００と台座４００を連結する保持部３００は、小径中空円柱部３０１と大径中空円柱部３０２を一体に設けた形状を成している。前記小径中空円中部３０１は、台座４００の上部台座カバー４０１に形成された貫通孔４０６よりも直径が小さく、前記貫通孔４０６を挿通することが可能な径とし、また、前記大径中空円柱部３０２は、前記貫通孔４０６よりも直径が大きく、前記貫通孔４０６を挿通することが不可能な径としている。そして、台座４００を構成する上部台座カバー４０１の底面側より、前記貫通孔４０６を介して支持部２００の中空部分２０１に前記保持部３００の小径中空円柱部３０１を挿通し、前記支持部２００と前記小径中空円柱部３０１を固定手段によって固定している。
【００１７】
なお、本実施例では、固定手段として螺子による締結固定を採用しており、前記支持部２００には前記螺子が挿通する挿通孔を設け、前記小径中空円柱部３０１には前記螺子が螺着する螺子穴３０３が形成されている。前述のように、台座４００の上部台座カバー４０１に形成された貫通孔４０６を介して前記支持部２００と前記保持部３００の小径中空円中部３０１を固定することで、前記台座４００に対し前記支持部２００が外れることなく、また、台座４００に対して支持部２００を回転可能に取り付けることが出来る。
【００１８】
そして、前記大径中空円柱部３０２の周縁部分には、前記上部台座カバー４０１の貫通孔４０６周縁に形成された第１の回転規制リブ４０７と第２の回転規制リブ４０８に当接可能な突出片３０４が形成されている。これは、台座４００に対して回転可能に連結された支持部２００の回転可能な範囲を規制するために設けられたものであり、本実施例では台座４００に設けた操作部４０３の位置を基準として左右方向にそれぞれ約９０度の回転を可能とし、それ以上の回転が出来ないように上部台座カバー４０１には前記第１の回転規制リブ４０７と前記第２の回転規制リブ４０８を形成し、保持部３００の大径中空円柱部３０２には突出片３０４を形成した構造としている。
【００１９】
ここで、台座４００に対する支持部２００の回転範囲を規制する構造について図６〜図８を用いて詳しく説明する。図６は本考案の実施例におけるスタンド型照明装置の操作部と照射部本体が一致する位置にある状態を示す図であり、図６（ａ）はスタンド型照明装置の底面側概略図、図６（ｂ）は図６（ａ）における保持部の取り付け部分を示す部分拡大図、図７は図６の状態から支持部を図示右側に約９０度回転させた状態を示す図であり、図７（ａ）はスタンド型照明装置の底面側概略図、図７（ｂ）は図７（ａ）における保持部の取り付け部分を示す部分拡大図、図８は図６の状態から支持部を図示左側に約９０度回転させた状態を示す図であり、図８（ａ）はスタンド型照明装置の底面側概略図、図８（ｂ）は図８（ａ）における保持部の取り付け部分を示す部分拡大図である。なお、本実施例では、照明部本体１００の内部に組み付けられる第１の回路基板１０６，１０６と、台座４００の内部に組み付けられる第２の回路基板４０４を配線部材５００によって接続する構造としているが、台座４００に対する支持部２００の回転範囲を規制する構造を明確に示すため、図６〜図８では前記配線部材５００を省いていることを言及し、以下に説明を続ける。
【００２０】
台座４００の上部台座カバー４０１において、貫通孔４０６周縁には、前記保持部３００の回転範囲を規制するための第１の回転規制リブ４０７と第２の回転規制リブ４０８が形成されている。スタンド型照明装置１の支持部２００を図６の状態から図示右側へ約９０度回転させるならば、図７で示すように、保持部３００の大径中空円中部３０２に形成された突出片３０４が上部台座カバー４０１の第１の回転規制リブ４０７に当接し、前記支持部２００はそれ以上の回転が出来なくなる。換言すれば、前記支持部２００は前記突出片３０４が前記第１の回転規制リブ４０７に当接するまでの範囲内で回転することが可能である。また、スタンド型照明装置１の支持部２００を図６の状態から図示左側へ約９０度回転させるならば、図８で示すように、保持部３００の大径中空円中部３０２に形成された突出片３０４が上部台座カバー４０１の第２の回転規制リブ４０８に当接し、前記支持部２００はそれ以上の回転が出来なくなる。換言すれば、前記支持部２００は前記突出片３０４が前記第２の回転規制リブ４０８に当接するまでの範囲内で回転することが可能である。前述の内容を総称すると、前記支持部２００を図６の状態から左右でそれぞれ約９０度の範囲内、合わせて約１８０度の範囲内で回転することが可能であり、同範囲内において前記支持部２００の上部で連結する照射部本体１００による照射が可能となる。
【００２１】
さらに、図５で示すように、前記保持部３００の大径中空円中部３０２には、底面側に当接部３０５と段差部３０６が形成されている。前記当接部３０５は、台座４００の内部で第２の重り４１０に当接し、また、前記段差部３０６は、前記支持部２００を回転するときに配線部材５００が保持部３００と第２の重り４１０の間で挟み込まれたり、或いは捩れたりして断線するのを防止するために設けられている。すなわち、照射部本体１００に内蔵されるＬＥＤ１０５，１０５，・・が配設された第１の回路基板１０６，１０６と台座４００に内蔵された第２の回路基板４０４は配線部材５００によって接続されており、前記配線部材５００は前記照射部本体１００の内部と、支持部２００の中空部分２０１と保持部３００の小径中空円中部３０１と大径中空円中部３０２の中空部分と、前記台座４００の内部を伝って接続されており、回転する前記支持部２００および前記保持部３００と前記台座４００の間で前記配線部材５００の捩れや絡まり、或いは挟み込みによる断線を防止する目的で段差部３０６が形成されている。
【００２２】
ここで、保持部３００に形成する段差部３０６と支持部２００の回転規制手段（突出片３０４，第１の回転規制リブ４０７，第２の回転規制リブ４０８）の関係について図９〜図１１を用いて説明する。図９は本考案の実施例におけるスタンド型照明装置の操作部と照射部本体が一致する位置にある状態を示す底面側部分拡大概略図、図１０は図９の状態から支持部を図示右側に約９０度回転させた状態を示す底面側部分拡大概略図、図１１は図９の状態から支持部を図示左側に約９０度回転させた状態を示す底面側部分拡大概略図である。なお、図９〜図１１はそれぞれ図６〜図８で示す部分拡大図とほぼ同様となっており、照明部本体１００の内部に組み付けられる第１の回路基板１０６，１０６と、台座４００の内部に組み付けられる第２の回路基板４０４を接続する配線部材５００を示している点で異なる。
【００２３】
同図で示すように、本実施例では、保持部３００の大径中空円柱部３０２底面の約半分の領域を当接部３０５とし、残りの約半分の領域を段差部３０６として形成している。そして、前記段差部３０６が形成されている部分の周縁に突出片３０４が形成されている。スタンド型照明装置１の支持部２００を図９の状態から図示右側へ約９０度回転させるならば、図１０で示すように、底面側から見た大径中空円柱部３０２の斜線で示す約１／４の部分のみ段差部３０６によって空間が形成されており、支持部２００の中空部分２０１および保持部３００の小径中空円柱部３０１および大径中空円柱部３０２の内部を伝って第２の回路基板４０４に接続された配線部材５００の断線を防止することが出来る。また、前記スタンド型照明装置１の支持部２００を図９の状態から図示左側へ約９０度回転させるならば、図１１で示すように、底面側から見た大径中空円柱部３０２の斜線で示す約１／４の部分のみ段差部３０６によって空間が形成されており、図１０の場合と同じく、支持部２００の中空部分２０１および保持部３００の小径中空円柱部３０１および大径中空円柱部３０２の内部を伝って第２の回路基板４０４に接続された配線部材５００の挟み込み等による挟み込み等による断線を防止することが出来る。
【００２４】
なお、台座４００の内部における前記配線部材５００の配線位置を予め指定するために、例えば、上部台座カバー４０１に前記配線部材５００の一部を保持する保持部を設けたり、或いは前記配線部材５００に近接する部材に保持機能を設ける等、スタンド型照明装置の形状等に応じて適宜選定することによって前記配線部材５００の挟み込み等による断線をより確実に防止することが出来、本実施例では、上部台座カバー４０１に配線部材を保持するための切欠きを設けたリブ４１１を形成している。
【００２５】
以上、本考案の一実施例について詳述したが、本考案は前記実施例に限定されるものではなく、本考案の主旨の範囲内で種々の変形実施が可能である。例えば、本考案の実施例では、台座４００に対する支持部２００を左右方向で合わせて約１８０度の範囲内で回転可能な場合について説明したが、半分の９０度の範囲で回転可能としても良い。また、支持部２００と保持部３００の固定について螺子を用いた締結固定手段を例に説明したが、螺子を使用しない係合や嵌合、或いは貼着や接着など本考案の主たる特徴を逸脱しない範囲において適宜選定することが可能である。
【符号の説明】
【００２６】
１．スタンド型照明装置
１００．照射部本体
１０１．上部本体カバー
１０２．下部本体カバー
１０３．開口部
１０４．放熱部材
１０５．ＬＥＤ（光源）
１０６．第１の回路基板
１０７．導光板
１０８．光学シート
１０９．反射シート
２００．支持部
２０１．中空部分
３００．保持部
３０１．小径中空円柱部
３０２．大径中空円柱部
３０３．螺子穴
３０４．突出片
３０５．当接部
３０６．段差部
４００．台座
４０１．上部台座カバー
４０２．下部台座カバー
４０３．操作部
４０４．第２の回路基板
４０５．スイッチ
４０６．貫通孔
４０７．第１の回転規制リブ
４０８．第２の回転規制リブ
４０９．第１の重り
４１０．第２の重り
４１１．リブ
４１２．シールド部材
５００．配線部材
６００．ホルダー
６０１．ホルダー本体
６０２．ホルダーカバー
６０３．ヒンジ
【図１】
0003167153.tif 000003
【図２】
0003167153.tif 000004
【図３】
0003167153.tif 000005
【図４】
0003167153.tif 000006
【図５】
0003167153.tif 000007
【図６】
0003167153.tif 000008
【図７】
0003167153.tif 000009
【図８】
0003167153.tif 000010
【図９】
0003167153.tif 000011
【図１０】
0003167153.tif 000012
【図１１】
0003167153.tif 000013